(57)【要約】【課題】遊戯盤が設けられている本体側に開閉自在の、該遊戯盤を覆うガラスが取り付けられたガラス枠ユニットを、該本体側に良好に密着させて固定する。【解決手段】乗り上げ部８ｃが乗り上げカム部２ｃの上面のカムを摺動することで、本体側にガラス枠ユニットが接近してから閉じられるまでの回動を、ガラスユニットの上下動に変える。該上下動によって、ガラスユニットを本体側に密着した状態でロックするための、それぞれ異なる部位に設けられる複数の開閉ロック機構が機能させられる。【選択図】図９
2007185210.tif 000002
【特許請求の範囲】
【請求項１】
本体側の正面に設けられる遊戯盤の前面の少なくとも一部が、該本体側との間に設けられるヒンジによる回動によって開閉可能な、ガラス枠ユニットの該開閉によって固定される、ガラスで覆われる遊戯機において、
ガラスフレームに前記ガラスが固定されたガラスユニットと、
本体側に前記ガラス枠ユニットが接近してから、前記ガラスユニットを挟み込んで前記開閉が閉じられるまでの前記回動を、該ガラスユニットの上下動に変えるためのカム機構と、
該上下動によって、前記ガラスユニットを前記本体側に密着した状態でロックするための、それぞれ異なる部位に設けられる複数の開閉ロック機構と、
該開閉ロック機構によるロック後、前記上下動をロックするための上下動ロック機構と、を備えたことを特徴とする遊戯機。
【発明の詳細な説明】
【技術分野】
【０００１】
本発明は、遊戯盤が設けられている本体側に開閉自在の、該遊戯盤を覆うガラスが取り付けられたガラス枠ユニットを、該本体側に良好に密着させて固定することができる遊戯機に関する。
【背景技術】
【０００２】
図１は、従来からのパチンコ遊技機のガラス枠ユニット開放状態を示す斜視図である。
【０００３】
ペアガラスユニット１とは、図３を用いて後述するように、２枚ガラスを平行かつ一定距離離して保持し、ガラス枠ユニット２に固定するためのユニットである。ガラス枠ユニット２は、図４に示すようなプラ枠ユニット３に対して開閉可能であり、ガラス枠ユニット２の閉鎖状態（遊技可能状態）において、遊技盤５から規定距離にガラスが配設されるように設計されている。該規定距離は、遊技球が自然に遊技盤面上を動ける距離：通常１９mm前後である。
【０００４】
なお、プラ枠ユニット３は、外枠ユニット４にヒンジで一体になり、外枠ユニット４側に対して開閉可能になっている。又、ガラス枠ユニット２は、外枠ユニット４にヒンジで一体になり、上述のプラ枠ユニット３、外枠ユニット４側に対して開閉可能となっている。ガラス枠ユニット２が閉じて固定されると、後述するようにこれに伴って、ペアガラスユニット１も挟まれて固定されるようになっている。
【０００５】
図２は、ペアガラスユニット１がガラス枠ユニット２にセットされた状態を示す斜視図である。又、図３は、従来のペアガラスユニット１の各部名称を示す正面図及び断面図である。該図３において、（Ｂ）は、（Ａ）における符号Ｚ−Ｚの断面を示す。
【０００６】
まず図３に示すように、普通ガラス６（遊技盤側）と強化ガラス７（遊技者側）は、ガラスフレーム８に接着などにより、平行かつ一定距離（９〜１０mm）離れた位置に固定され、ペアガラスユニット１とされる。一定距離離す理由は、遊技中の磁石などによる不正行為（いわゆるゴト行為）の防止のためである。ガラス一枚では、磁力を利用して遊技球を操作できてしまう。
【０００７】
又、図３に示されるペアガラスユニット１におけるガラスフレーム８に設けられる２ヶ所のヒンジピン８ａが、それぞれ、図２に示されるガラス枠ユニット２に固定されたガラス枠ヒンジ板９の２ヶ所のヒンジ穴９ａに嵌合する。これらヒンジピン８ａ及びヒンジ穴９ａは、該嵌合によってヒンジとして機能し、これにより該ペアガラスユニット１は、ガラス枠ユニット２に対して開閉可能な構造となっている。
【０００８】
更に、図２に示すようにガラス枠ユニット２には、２個のペアガラスフック１０が回転可能に取り付けられ、他方、図３に示すようにペアガラスユニット１には、２ヶ所にフック受け部８ｂが設けられている。ガラス枠ユニット２をプラ枠ユニット３に対して閉じると、閉鎖状態で外枠ユニット４及びペアガラスフック１０でフック受け部８ｂが挟み込まれて、ペアガラスユニット１がロックされる。
【０００９】
なお、特許文献１では、ガラスフレーム８の取り付け及び取り外し作業を容易にすると共に、部品点数を削減するための技術が開示されている。
【００１０】
【特許文献１】特開２００３−１２６４７３号公報
【発明の開示】
【発明が解決しようとする課題】
【００１１】
前述した従来のペアガラスユニットの固定構造では、ペアガラスフック１０で押えられるロック受け部８ｂの２ヶ所と、ヒンジ穴９ａに嵌合するヒンジピン８ａの２ヶ所においては、ペアガラスユニット１とガラス枠ユニット２を確実に密着させることができる。しかしながら、これら以外の、例えば上端部１ａや下端部１ｂなどは、ペアガラスユニット１やガラス枠ユニット２などの部品の反りなどにより、密着させることが出来ない可能性がある。
【００１２】
又、反りなどがなく密着できていたとしても、故意にガラスを押すなどしてペアガラスユニット１を撓ませ、ペアガラスユニット１とガラス枠ユニット２との間に隙間を発生させることが可能である。上述のような部品の反りや故意的な撓みによるペアガラスユニット１とガラス枠ユニット２との隙間は、外観的にきれいでないだけでなく、不正行為が容易にできてしまう、あるいは、誘発してしまう問題がある。
【００１３】
本発明は、前記従来の問題点を解決するべくなされたもので、遊戯盤が設けられている本体側に開閉自在の、該遊戯盤を覆うガラスが取り付けられたガラス枠ユニットを、該本体側に良好に密着させて固定することができる遊戯機を提供することを課題とする。
【課題を解決するための手段】
【００１４】
本願発明は、本体側の正面に設けられる遊戯盤の前面の少なくとも一部が、該本体側との間に設けられるヒンジによる回動によって開閉可能な、ガラス枠ユニットの該開閉によって固定される、ガラスで覆われる遊戯機において、ガラスフレームに前記ガラスが固定されたガラスユニットと、本体側に前記ガラス枠ユニットが接近してから、前記ガラスユニットを挟み込んで前記開閉が閉じられるまでの前記回動を、該ガラスユニットの上下動に変えるためのカム機構と、該上下動によって、前記ガラスユニットを前記本体側に密着した状態でロックするための、それぞれ異なる部位に設けられる複数の開閉ロック機構と、該開閉ロック機構によるロック後、前記上下動をロックするための上下動ロック機構と、を備えたことにより、前記課題を解決したものである。
【００１５】
以下、本発明の作用について、簡単に説明する。
【００１６】
本願発明では、本体側の正面に設けられる遊戯盤の前面の少なくとも一部が、該本体側との間に設けられるヒンジによる回動によって開閉可能な、ガラス枠ユニットの該開閉によって固定されるガラスで覆われる遊戯機を対象とする。このガラスは、ガラスフレームに固定されてガラスユニットとされる。
【００１７】
又、本体側に、前記ガラス枠ユニットが接近してから、前記開閉が閉じられるまでの前記回動を、該ガラスユニットの上下動に変えるためのカム機構を備える。
【００１８】
そうして、それぞれ異なる部位に設けられる複数の開閉ロック機構により、該上下動によって前記ガラスユニットを、前記本体側に密着した状態でロックする。又、上下動ロック機構により、該開閉ロック機構によるロック後、前記上下動をロックする。
【００１９】
従って、開閉ロック機構を、適所に複数設けるようにして、ガラス枠ユニットは、該本体側に良好に密着させて、該開閉を閉じた状態に固定することができる。そして、開閉ロック機構自体についても、カム機構によって得られる、ガラス枠ユニットの上下動によって、確実なロックが行えるものとすることが容易である。
【発明の効果】
【００２０】
上述のように、本願発明によれば、遊戯盤が設けられている本体側に開閉自在の、該遊戯盤を覆うガラスが取り付けられたガラス枠ユニットを、該本体側に良好に密着させて固定することができる遊戯機を提供することができる。
【発明を実施するための最良の形態】
【００２１】
以下、図を用いて本発明の実施の形態を詳細に説明する。
【００２２】
図５は、本発明が適用された実施形態の遊戯機のガラス枠ユニット２を示す斜視図である。
【００２３】
本実施形態のペアガラスユニット１のガラス枠ユニット２に対する開閉構造は、前述した従来ものと同様に、ヒンジピン８ａがヒンジ穴９ａと嵌合するようになっている。又、ペアガラスユニット１自体も、従来と同様、遊技盤側の普通ガラス６、及び遊技者側の強化ガラス７が、ガラスフレーム８への接着などにより、平行かつ一定距離離れた位置に固定されたものである。
【００２４】
又、本願発明が適用され、ガラス枠ユニット２に一体成型された上端ロック部２ａ、２ヶ所のサイドロック部２ｂ、及び、ガラス枠補強板１１の曲げにより構成された下端ロック部１１ａにより開閉方向がロックされ、該ロックによって、ペアガラスユニット１とガラス枠ユニット２は密着される。
【００２５】
ここで、これら、上端ロック部２ａ、サイドロック部２ｂ、及び、下端ロック部１１ａは、本願発明の開閉ロック機構に相当し、従って本実施形態では該開閉ロック機構が都合４つ設けられている。
【００２６】
次に、図６は、開閉の回動を、ガラス枠ユニット２の上下動に変えるための、本実施形態のカム機構を拡大した斜視図である。図７は、本実施形態のペアガラスユニット１を示す斜視図である。
【００２７】
図５に示すように、ガラス枠ユニット２には、２ヶ所、乗り上げカム部２ｃが一体成型され、下寄せフック１２が回転可能に取り付けられている。そして、該乗り上げカム部２ｃは、図６のように、カムが形成されており、該カムは具体的には、上昇部２ｃ-１、平坦部２ｃ-２、下降部２ｃ-３を有している。
【００２８】
そして、ガラスフレーム８には、図７に示すように、ヒンジピン８ａの上下にそれぞれ、つまり２ヶ所に乗り上げ部８ｃが一体成型されている。又、該ガラスフレーム８には、上端部に上端ロック受け部８ｄ及び下寄せフック受け部８ｅ、下端部に下端ロック受け部８ｆ、左端部にサイドロック受け部８ｇが一体成型されている。
【００２９】
ここで、上述の乗り上げカム部２ｃには、乗り上げ部８ｃが摺動する前述のようなカムが形成されており、これら乗り上げカム部２ｃ及び乗り上げ部８ｃによって、本願発明のカム機構が構成されている。又、上端ロック部２ａの近傍やや上に設けられる下寄せフック１２は、本願発明の上端ロック部２ａに相当する。
【００３０】
以下、図８から図１２により、ペアガラスユニット１がガラス枠ユニットに固定される過程を説明する。
【００３１】
図８は、本実施形態において、ヒンジピン８ａをヒンジ穴９ａに嵌合させた状態を示す斜視図である。又、図９は、本実施形態において、閉鎖状態となる直前の状態でカム機構を拡大した斜視図である。
【００３２】
まず、このような嵌合状態で、又このような開度の状態から、ペアガラスユニット１を閉鎖状態となる方向へ回転させる。該閉鎖状態となる直前で、図９に示すように、乗り上げ部８ｃが乗り上げカム部２ｃの上昇面２ｃ-１と接触する。
【００３３】
そして、更にペアガラスユニット１を閉鎖方向へ回転させることで、該乗り上げ部８ｃは、乗り上げカム部２ｃの上昇面２ｃ-１を摺動し、該上昇面２ｃ-１に沿って平坦部２ｃ-２まで誘導される。上昇面２ｃ-１を摺動している間、該上昇面２ｃ-１のカムの形状に従って、該乗り上げ部８ｃが持ち上げられ、又、該持ち上げに伴って該乗り上げ部８ｃに一体のペアガラスユニット１も持ち上げられる。又、この後、乗り上げ部８ｃは平坦部２ｃ-２を摺動することになり、この間、持ち上げられた該乗り上げ部８ｃの高さが保持され、又持ち上げられたペアガラスユニット１の高さも保持される。
【００３４】
更にペアガラスユニット１を閉鎖方向へ回転させると、乗り上げ部８ｃは乗り上げカム部２ｃの下降部２ｃ-３に到達する。この後は、乗り上げ部８ｃは乗り上げカム部２ｃの下降部２ｃ-３を摺動することになり、該乗り上げ部８ｃの高さは低くなっていき、又、これに伴って該乗り上げ部８ｃに一体のペアガラスユニット１も自重により低くなっていく。そうして、最終的には、ペアガラスユニット１は所定高さに配設される。
【００３５】
以上に説明したように、上昇面２ｃ-１、平坦部２ｃ-２、下降部２ｃ-３と順に乗り上げ部８ｃが摺動していくことで、乗り上げカム部２ｃ及び乗り上げ部８ｃはカム機構として機能する。該機能によって、ガラス枠ユニット２の開閉の回動動作は、ペアガラスユニット１の上下動に変えられる。又、該ペアガラスユニット１の上下動を利用することで、上端ロック受け部８ｄ、下端ロック受け部８ｆ、サイドロック受け部８ｇが、それぞれのロック部にはまり込むようになっている。
【００３６】
ここで、図１０は上端ロック受け部の、図１１は下端ロック受け部の、図１２はサイドロック受け部の、それぞれロック直前の状態を示す斜視図である。
【００３７】
前述のようなカム機構によってペアガラスユニット１の上下動が生じると、該ペアガラスユニット１に設けられる、上端ロック受け部８ｄ、下端ロック受け部８ｆ、サイドロック受け部８ｇは、いずれも、一旦上昇してから下降する動作をする。
【００３８】
これら図１０〜図１２は、いずれも該上昇の後に下降する直前を示す。図１０に示すように上端ロック受け部８ｄは上端ロック部２ａに、図１１に示すように下端ロック受け部８ｆは下端ロック部１１ａに、図１２に示すようにサイドロック受け部８ｇはサイドロック部２ｂに、該下降によってロックされる。
【００３９】
又、ロック後は、下寄せフック１２を時計方向に回転させることで、ペアガラスユニット１の上方向への動きを規制する。該規制によって、これら、上端ロック受け部８ｄ及び上端ロック部２ａ、下端ロック受け部８ｆ及び下端ロック部１１ａ、サイドロック受け部８ｇ及びサイドロック部２ｂのいずれのロックも解除されなくなる。
【００４０】
そして、ペアガラスユニット１の取り外しは、以下の過程による。
【００４１】
（１）下寄せフック１２を反時計方向に回転させて、上方向への規制を解除する。
【００４２】
（２）ペアガラスユニット１を鉛直上方向へ持ち上げ、その状態で開放方向へ回転する。
【００４３】
（３）乗り上げ部８ｃが乗り上げカム２ｃの平坦部２ｃ-２まで到達したら、上方向へは持ち上げず、開放方向への回転のみの力を加える。
【００４４】
（４）ペアガラスが開放したら、上方向へ持ち上げ、ヒンジピン８ａをヒンジ穴９ａから抜き、ペアガラスを取り外す。
【００４５】
以上に説明したように、本実施形態によれば、本願発明を効果的に適用することができる。
【００４６】
なお、図１３は、本実施形態の下寄せフック１２の変形例を示す斜視図である。
【００４７】
前述の下寄せフック１２は、時計方向に回転させることで、ペアガラスユニット１の上方向への動きを規制する。これに対して、変形例の下寄せフック１２は、ガラス枠ユニット２を最後まで閉じると、ペアガラスユニット１の上方向への動きが規制されるようになっている。
【００４８】
なお、前述の下寄せフック１２でも、この変形例の下寄せフック１２でも、上下動ロック機構は、上端ロック部２ａや上端ロック受け部８ｄの設けられている付近、即ち遊戯機の上側に設けられている。しかしながら、このようなものに限定されるものではない。遊戯機の下方や側方に設けてもよい。例えば、下端ロック受け部８ｆや下端ロック部１１ａの付近となるような遊戯機の下方、サイドロック受け部８ｇやサイドロック部２ｂの付近となるような遊戯機の上方に設けてもよい。
【産業上の利用可能性】
【００４９】
以上説明したとおり、遊戯盤が設けられている本体側に開閉自在の、該遊戯盤を覆うガラスが取り付けられたガラス枠ユニットを、該本体側に良好に密着させて固定することができる遊戯機を提供することができる。
【００５０】
本願発明によれば、ガラスフレームやガラス枠など大型樹脂部品の反りが原因で、ペアガラスユニットとガラス枠ユニットとの間に生ずる隙間をなくすことで、遊技中の不正行為を抑制することができる。又、ペアガラスユニットのロック部を上部、下部、サイド部とすることで、遊技者がガラスを押すことによるペアガラスユニットの撓みを防止し、ペアガラスユニットとガラス枠ユニットとの隙間を生じさせないことで、遊技中の不正行為を抑制することができる。更には、ペアガラスユニットの上下動を利用してロックさせることで、部品点数およびロック作業回数を増やさずに、ロック箇所をふやすことができる。
【図面の簡単な説明】
【００５１】
【図１】従来からのパチンコ遊技機のガラス枠ユニット開放状態を示す斜視図。
【図２】上記従来例のペアガラスユニット１がガラス枠ユニット２にセットされた状態を示す斜視図。
【図３】前記従来例のペアガラスユニットの各部名称を示す正面図及び側面図。
【図４】前記従来例のプラ枠ユニット３を示す側面図。
【図５】本発明が適用された実施形態の遊戯機のガラス枠ユニットを示す斜視図。
【図６】上記実施形態のカム機構を拡大した斜視図。
【図７】前記実施形態のペアガラスユニットを示す斜視図。
【図８】前記実施形態において、ヒンジピンをヒンジ穴に嵌合させた状態を示す斜視図。
【図９】前記実施形態において、閉鎖状態となる直前の状態でカム機構を拡大した斜視図。
【図１０】前記実施形態においてロック直前の状態での上端ロック受け部を示す斜視図。
【図１１】前記実施形態においてロック直前の状態での下端ロック受け部を示す斜視図。
【図１２】前記実施形態においてロック直前の状態でのサイドロック受け部を示す斜視図。
【図１３】前記実施形態の下寄せフックの変形例を示す斜視図。
【符号の説明】
【００５２】
１…ペアガラスユニット
２…ガラス枠ユニット
３…プラ枠ユニット
４…外枠ユニット
５…遊技盤
６…普通ガラス
７…強化ガラス
８…ガラスフレーム
９…ガラス枠ヒンジ板
１０…ペアガラスフック
１１…ガラス枠補強板
１２…下寄せフック
２ａ…上端ロック部
２ｃ…乗り上げカム部
２ｂ…サイドロック部
８ｃ…乗り上げ部
８ｄ…上端ロック受け部
８ｆ…下端ロック受け部
８ｇ…サイドロック受け部
１１ａ…下端ロック部
【図１】
2007185210.tif 000003
【図２】
2007185210.tif 000004
【図３】
2007185210.tif 000005
【図４】
2007185210.tif 000006
【図５】
2007185210.tif 000007
【図６】
2007185210.tif 000008
【図７】
2007185210.tif 000009
【図８】
2007185210.tif 000010
【図９】
2007185210.tif 000011
【図１０】
2007185210.tif 000012
【図１１】
2007185210.tif 000013
【図１２】
2007185210.tif 000014
【図１３】
2007185210.tif 000015